(57)【要約】【課題】筐体に設けた取付金具を通じて、筐体内部の熱を外部に放散し、優れた通信機器装置を提供する。【解決手段】通信機器装置は、筐体と、筐体に配置された通信機器ユニットと、筐体を所定箇所に取り付けるための取付金具とを備える。そして、当該取付金具は、通信機器ユニットにおいて発生した熱を筐体外部へ放熱する放熱部を有し、通信機器ユニットに直接接触した状態で筐体に取り付けられている。【選択図】図１
2005353724.tif 000002
【特許請求の範囲】
【請求項１】
筐体と、
前記筐体内に配置された通信機器ユニットと、
前記筐体を所定箇所に取り付けるための取付金具とを備え、
前記取付金具は、前記通信機器ユニットにおいて発生した熱を前記筐体外部へ放熱する放熱部を有し、前記通信機器ユニットに直接接触した状態で前記筐体に取り付けられた通信機器装置。
【請求項２】
前記筐体は通孔を有し、当該通孔内に前記通信機器ユニットが配置され、当該通孔から露出した前記通信機器ユニットの一部に前記取付金具が直接接触している、請求項１に記載の通信機器装置。
【請求項３】
前記通信機器ユニットは、前記取付金具に直接接触した放熱シートと、前記放熱シート上に積層され板材から形成された放熱器と、前記放熱器上に固定された熱を発生する素子とを有する、請求項２に記載の通信機器装置。
【請求項４】
前記放熱部は前記取付金具に一体に形成された放熱フィンである、請求項１から３のいずれか１項に記載の通信機器装置。
【請求項５】
前記取付金具は、前記所定箇所の被取付面に実質的に適合した接触面を有する、請求項４に記載の通信機器装置。
【請求項６】
前記放熱フィンは複数のフィンセグメントから構成され、各フィンセグメントの先端が一体的に連結され前記接触面が形成されている、請求項５に記載の通信機器装置。
【発明の詳細な説明】
【技術分野】
【０００１】
本発明は、放熱構造を有する通信機器装置に関する。特に、屋外で使用される通信機器装置において、その筐体、取付金具及び被取付面を介して放熱を行い、装置の温度上昇を抑えた通信機器装置に関する。
【背景技術】
【０００２】
通信機器装置の小型化・高密度実装化が進むとともに、その熱密度が高まりつつある。しかしながら、屋外で使用される通信機器装置は防水対策のため、放熱用の通風孔を開けることはできず、装置内部の熱を放熱するため、筐体外部に放熱構造または放熱部を有する部品が必要となる（特許文献１）。
【０００３】
図１０に示された通信機器装置において、筐体１８は湾曲した（そら豆状の）ガイド穴２５と、つり針状の切り欠き２４が形成された接続金具２３と、ガイドピン２７と、前面に配置されたコの字型のハンドル３０を有する。筐体１８をポール等に取り付けるため、放熱フィン１９と係合ピン２６を有する固定台２１があり、この固定台２１は予め取付金具２０とボルト２２によってポール等に固定されている。
【０００４】
筐体１８の接続金具２３が、切り欠き２４に沿って、固定台２１の係合ピン２６に挿入される。切り欠き２４は湾曲しているため、挿入時に変移し、固定台２１に密着し、筐体１８の熱を固定台２１に伝熱するとともに、筐体１８を固定している。
【０００５】
【特許文献１】特開２００２−１１１２３５号公報
【発明の開示】
【発明が解決しようとする課題】
【０００６】
しかしながら、上記の構造では、筐体１８と放熱フィン１９が別体であり、装置の軽量化は図れるものの、放熱フィン１９からのみの放熱であり、筐体１８内部の熱を効率よく外部に放散することが難しい場合がある。特に発熱量が増大した場合、放熱フィンの形状を変更せねばならず、放熱フィンの重量が重くなるおそれがある。
【０００７】
また、放熱フィンが大型になるため、コスト高となるおそれもある。
【０００８】
本発明は、大型の放熱部品を装着することなく、優れた放熱効果を有する放熱部（放熱構造）を備えた通信機器装置を提供することを目的とする。
【課題を解決するための手段】
【０００９】
本発明の通信機器装置は、筐体と、筐体に配置された通信機器ユニットと、筐体を所定箇所に取り付けるための取付金具とを備える。そして、当該取付金具は、通信機器ユニットにおいて発生した熱を筐体外部へ放熱する放熱部を有し、通信機器ユニットに直接接触した状態で筐体に取り付けられている。
【００１０】
筐体に通孔を設け、当該通孔内に通信機器ユニットを配置し、当該通孔から露出した通信機器ユニットの一部に取付金具を直接接触させる構成とすることができる。
【００１１】
通信機器ユニットは、取付金具に直接接触した放熱シートと、放熱シート上に積層され板材から形成された放熱器と、放熱器上に固定された熱を発生する素子とを有する構成とすることができる。
【００１２】
放熱部は取付金具に一体に形成された放熱フィンより構成することが好ましい。
【００１３】
取付金具は、所定箇所の被取付面に実質的に適合した接触面を有してもよい。
【００１４】
また、放熱フィンを複数のフィンセグメントから構成し、各フィンセグメントの先端を一体的に連結し、上記接触面を形成してもよい。
【発明の効果】
【００１５】
本発明によれば、筐体に設けた取付金具を通じて、筐体内部の熱を外部に放散できるため、優れた通信機器装置を提供することができる。
【発明を実施するための最良の形態】
【００１６】
以下、本発明に係る実施の形態について、添付図面を参照しながら詳細に説明する。
【００１７】
図１に示すように、本発明の屋外用通信機器装置３８は、筐体１、通信機器ユニットを構成する電子回路ユニット３２、取付金具２を有する。筐体１は、筐体を構成する金属製の外郭シャーシ３７と前面扉３３からなり、前面扉３３は、図示されていない蝶番で結合されている。また、前面扉３３にはセキュリティのため、図示されていない鍵が装着されている。筐体１を構成する外郭シャーシ３７の一側面には、素子１１（図５）が組み込まれた電子回路ユニット３２の放熱器１７と取付金具２を接触させる通孔としての角穴３４と、取付金具２を装着するための取付穴６が形成されている。取付ねじ１０及び取付穴６により、取付金具２は筐体１に取り付けられている。
【００１８】
図３に示すように、取付金具２は放熱部としての放熱フィン７を、本体と一体的に有しており、また放熱フィン７とは別に形成された側面壁３９にはベルト通し穴４が形成されている。このベルト通し穴４に固定ベルト３を通し、図２に示すように、パンザマストのような金属製の取付柱５に、通信機器装置３８を固定する。
【００１９】
取付金具２は、放熱フィン７を具備し、放熱フィン７は空気の対流を阻害しないよう、筐体上下方向に延設され配列されている。さらに詳しく述べると、放熱フィン７は複数のフィンセグメント７ａから構成され、各フィンセグメント７ａの先端が一体的に連結され、接触面３６が形成されている。そして、この接触面３６は、取付柱５の外周に良好に接触するよう曲面形状を有する。すなわち、接触面３６は、取付箇所の被取付面に実質的に適合している。従って、取付金具２は取付柱５に広い面積で接触し、通信機器装置３８の熱を、接触面３６を介して取付柱５に効率良く逃がすことが可能となる。
【００２０】
また、図４に示すように、取付金具２の放熱フィン７先端側には切り欠き８が設けられている。具体的には、放熱フィン７の先端側において、放熱フィンの上下方向における実質的中心位置、すなわち接触面３６の上下方向における実質的中心位置に切り欠き８が形成されている。取付柱５に筐体１を固定した際、固定ベルト３がベルト通し穴４を通過するとともに、切り欠き部８内に嵌め込まれ、放熱フィン７の先端側からへこんだ状態で配置される。そして、固定ベルト３の厚みは、切り欠き８の深さより小さい。すなわち、接触面３６よりも放熱フィン７の先端側から落ち込んだ状態で、固定ベルト３は配置される。この構成により、接触面３６と取付金具２を確実に密着させることができる。しかしながら、切り欠き８の形成位置は特に限定されない。
【００２１】
取付金具２はアルミ等のような熱伝導の高い材質がよい。また腐食防止のため、表面に塗装やアルマイトなどの表面処理を施すことが好ましい。しかしながら、取付金具２の材料、構成などは特に限定されない。
【００２２】
素子１１が組み込まれた電子回路ユニット３２においては、図５及び図８に示す通り、プリント基板１６上に素子１１が配線とともに固定され、シールドケース９が素子１１上に取り付けられている。素子１１としてはパワートランジスタなど、発熱の大きなものが挙げられるが、その種類は特に限定されない。そして素子１１からの熱を放散するため、素子１１は放熱器１７にも取付ねじ１２で固定されている。むろん、プリント基板１６には素子１１以外にも図示されていない他の電子部品が配置されている。
【００２３】
尚、筐体１にはユニット３２以外のユニットも実装可能である。
【００２４】
素子１１が組み込まれた電子回路ユニット３２の放熱器１７は、筐体１の角穴３４から露出している。また、取付金具２に取付ねじ１３によって締結され、密着している。放熱器１７は金属製の板材のため、直接取付金具２に密着させると、面内において密着性のばらつきが生じ得る。この面内における密着ばらつきを吸収するため、放熱器１７には放熱シート１４が貼り付けられており、取付金具２との密着を高め、確実に素子１１からの熱を伝熱する。尚、筐体１と取付金具２の隙間には、図示しない防止パッキンまたはシリコンなどシール材が充填され、防水性を確保している。
【００２５】
放熱器１７にはアルミの板材などが用いられるが、その材料、形状、構成は特に限定されない。また、放熱シート１４にはシリコーン樹脂等のようなクッション性を有する材料が用いられるが、その材料は特に限定されない。
【００２６】
素子が組み込まれた電子回路ユニット３２を筐体１の内部に挿入し、側面の角穴３４下面の曲げ部３５に乗せ、角穴３４にはめ込み、取付ねじ１３で筐体内部から固定し、電子回路ユニット３２を筐体１に実装する。その際、取付金具２は予め筐体１内部より取付ねじ１０で装着しておく。ユニット固定後、図示していないケーブル等にて、その他の図示していないユニットに電気的な接続をする。
【００２７】
尚、本実施例では組み立てを容易にするため、角穴３４の形状を、電子回路ユニット３２の外径にあわせたが、角穴３４の形状は任意のものでよく、電子回路ユニット３２の少なくとも一部、好ましくはその放熱構造部に相当する放熱器１７、放熱シート１４の一部を筐体外部に露出させることができればよい。
【００２８】
図７は、素子１１が組み込まれた電子回路ユニット３２を、取付金具２を介して、取付柱５に実装した際の側面図である。電子回路ユニット３２は、その放熱構造部に相当する放熱器１７、放熱シート１４により、取付金具２に面接触させられている。電子回路ユニット３２の放熱構造部は、取付金具２に面状に密着し、さらに取付金具２は取付柱５に接触面３６を介して面状に密着している。
【００２９】
すなわち、素子１１で発生した熱は、取付ねじ１２、放熱器１７、放熱シート１４を介して取付金具２に伝えられ、主に放熱フィン７と取付柱５から拡散される。また、取付金具２は、取付柱５に対する接触面３６が取付柱５に適合した曲面の形状であるとともに、固定ベルト３での締め付けにより、面での良好な接触が得られ、高い伝導性が確保できる。以上の構造により、ユニット、取付金具、取付柱の順の伝熱が可能になり、筐体内部の効率的な放熱を達成することが可能となる。
【００３０】
図６は、通信機器装置の他の例を示す。本例においては、図３の取付金具２を二つに分割して形成されるセグメント２ａ、２ｂ（または２ｃ、２ｄ）を用いている。筐体１内において、複数の発熱素子が使用され、しかも位置的に分散して配置された場合、本例の様に複数箇所にセグメントを分散配置することにより対処することが可能である。また、元の取付金具２を流用することもできる。さらに、取付金具２の接触面３６を取付箇所の被接触面の形状に適合させることが可能となる。具体的には、取付柱５の径が変化した場合であっても、二つのセグメントの接触面３６により、セグメント２ａ、２ｂを取付柱５に密着させることが可能となる。
【００３１】
もちろん、取付金具２を複数のセグメントに分割せず、取付金具の形状自体を、取付箇所の被接触面の形状に適合するよう設計変更してもよい。具体的には、取付柱５の径が変化した場合であっても、接触面３６の曲率を変化させることにより、取付金具２を取付柱５に密着させることが可能となる。
【００３２】
また、筐体、通信機器ユニット（電子回路ユニット）、取付金具は実施形態のものに限られず、通信機器ユニットの熱が、取付金具により放熱可能であれば、その構造、形状、材料等の変更は自由である。
【００３３】
また、放熱部（放熱構造）の具体的な構成として、実施形態では複数の放熱フィンを採用したが、素子からの熱を放散できるものであれば、特にその形状は限定されない。
【００３４】
本発明によれば、筐体に実装された通信機器ユニットの放熱面を、放熱部を有する取付金具に接触させたため、通信機器ユニットにおいて発生した熱を筐体外部へ放熱する効果が得られる。
【００３５】
さらに、取付金具の放熱部先端面を、取付箇所の被接触面に実質的に適合した形状としたため、通信機器ユニットの熱を先端面、被接触面を介して伝導させ、放散する効果が得られ、大型の放熱部品を装備することなく、放熱する効果が得られる。
【００３６】
また、取付金具を分割して筐体上に実装することにより、または取付金具の形状を変更して筐体上に実装することにより、通信機器装置を取付箇所の被接触面に適合させることができ、被接触面の形状の変化または筐体内部の構造の変形にかかわらず、優れた放熱効果を維持することができる。
【００３７】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００３８】
本発明は、発熱を伴う通信機器装置に応用することで、その効果を発揮する。
【図面の簡単な説明】
【００３９】
【図１】本発明の一実施例による通信機器装置の全体構成を示す分解斜視図である。
【図２】本発明の一実施例による通信機器装置の固定状態を示す斜視図である。
【図３】取付金具の斜視図である。
【図４】取付金具の側面図である。
【図５】電子回路ユニット及び取付金具が筐体に取り付けられた状態の側面図である。
【図６】本発明の他の実施例による通信機器装置の斜視図である。
【図７】本発明の一実施例による通信機器装置の固定状態を示す側面図である。
【図８】電子回路ユニットの斜視図である。
【図９】本発明の一実施例による通信機器装置の斜視図である。
【図１０】通信機器装置の分解斜視図である。
【符号の説明】
【００４０】
１    筐体
２    取付金具
３    固定ベルト
４    ベルト通し穴
５    取付柱
６    取付穴
７    放熱フィン
８    切り欠き
９    シールドケース
１０  取付ねじ
１１  素子
１２  取付ねじ
１３  取付ねじ
１４  放熱シート
１６  プリント基板
１７  放熱器
１８  筐体
１９  放熱フィン
２０  取付金具
２１  固定台
２２  ボルト
２３  接続金具
２４  切り欠き
２５  ガイド窓
２６  係合ピン
２７  ガイドピン
３０  ハンドル
３２  電子回路ユニット
３３  前面扉
３４  角穴
３５  曲げ部
３６  接触面
３７  外郭シャーシ
３８  通信機器装置
３９  側面壁
【図１】
2005353724.tif 000003
【図２】
2005353724.tif 000004
【図３】
2005353724.tif 000005
【図４】
2005353724.tif 000006
【図５】
2005353724.tif 000007
【図６】
2005353724.tif 000008
【図７】
2005353724.tif 000009
【図８】
2005353724.tif 000010
【図９】
2005353724.tif 000011
【図１０】
2005353724.tif 000012